(57)【要約】【課題】  扉体を開閉するだけで扉体を竪枠に対して拘束・解除でき、火災時等に扉体が変形して竪枠との間に隙間が生じるのを確実に防止できるドア締り装置の提供。【解決手段】  扉体１の戸先側見込み面２６に設けられるドア締り装置本体５と、竪枠４ａに設けられる装置作動部６及び受け金具７を備え、ドア締り装置本体は、装置作動部に向けて突出付勢した被作動部８と、被作動部の動きに連動して上下方向にスライドするスライダ９と、スライダに設けられた係止突起１０とを有し、扉体１を閉めたときに被作動部８が竪枠４ａの装置作動部６に当接して押し込まれ、それに伴ってスライダ９がスライドして係止突起１０が受け金具７と係合する位置に移動する。【選択図】      図１
2011153470.tif 000002
【特許請求の範囲】
【請求項１】
扉体の戸先側見込み面に設けられるドア締り装置本体と、竪枠に設けられる装置作動部及び受け金具を備え、ドア締り装置本体は、装置作動部に向けて突出付勢した被作動部と、被作動部の動きに連動して上下方向にスライドするスライダと、スライダに設けられた係止突起とを有し、扉体を閉めたときに被作動部が竪枠の装置作動部に当接して押し込まれ、それに伴ってスライダがスライドして係止突起が受け金具と係合する位置に移動することを特徴とするドア締り装置。
【請求項２】
装置作動部は、被作動部が当接する位置に傾斜面を上下方向に有し、扉体を閉めたときに被作動部が傾斜面上を登坂方向に移動することを特徴とする請求項１記載のドア締り装置。
【請求項３】
被作動部は、くの字状に軸着した２本のアームで構成してあり、一方のアームの先端部が扉体に軸着してあり、他方のアームの先端部がスライダに軸着してあり、くの字状の屈曲部が装置作動部に当接することを特徴とする請求項１又は２記載のドア締り装置。
【請求項４】
請求項１〜３の何れかに記載のドア締り装置を備えることを特徴とするドア。
【発明の詳細な説明】
【技術分野】
【０００１】
本発明は、扉体の戸先と竪枠間に隙間が開かないように扉体を拘束するドア締り装置と、このドア締り装置を備えたドアに関する。
【背景技術】
【０００２】
従来のドアでは、通常ドアノブ部分に設けられた錠でしか竪枠に係合していないため、火災が起きると扉体の上下端の方から変形して竪框と竪枠の間に隙間ができ、延焼につながっていた。開き窓においては、ハンドルを回すと竪框の上下からロックピンが飛び出して枠に係合するものがあるが、そのような構造はドアには取り入れられていない。というのも、そのような構造では錠前が取付けられないと共に、開閉の度にハンドルを回す必要があり、出入口としての使い勝手が悪いためである。
【０００３】
特許文献１には、扉体の戸先側にトリガーを突出付勢して設け、トリガーと係合してロックピンが下方に付勢して設けてあり、扉体を閉めるとトリガーが押し込まれてロックピンとの係合が解除され、ロックピンがバネの力で下枠に向けて突出し、ロックピンが下枠と係合して扉体がロックされるものが記載されている。扉体を開ける際は、操作部を操作してロックピンを引き上げる必要がある。
上記ロック装置は、扉体を閉めたときに自動的にロックが掛かるが、扉体を開ける際にいちいち操作部を操作してロックを解除しなければならず、不便である。また、ロック装置を竪框内に埋め込む必要があるため、既存のドアに後付けするのは容易ではない。
【先行技術文献】
【特許文献】
【０００４】
【特許文献１】特開平１１−２０５７号公報
【発明の概要】
【発明が解決しようとする課題】
【０００５】
本発明は以上に述べた実情に鑑み、扉体を開閉するだけで扉体を竪枠に対して拘束・解除でき、火災時等に扉体が変形して竪枠との間に隙間が生じるのを確実に防止できるドア締り装置と、当該ドア締り装置を備えるドアの提供を目的とする。
【課題を解決するための手段】
【０００６】
上記の課題を達成するために請求項１記載の発明によるドア締り装置は、扉体の戸先側見込み面に設けられるドア締り装置本体と、竪枠に設けられる装置作動部及び受け金具を備え、ドア締り装置本体は、装置作動部に向けて突出付勢した被作動部と、被作動部の動きに連動して上下方向にスライドするスライダと、スライダに設けられた係止突起とを有し、扉体を閉めたときに被作動部が竪枠の装置作動部に当接して押し込まれ、それに伴ってスライダがスライドして係止突起が受け金具と係合する位置に移動することを特徴とする。
【０００７】
請求項２記載の発明によるドア締り装置は、請求項１記載の発明の構成に加え、装置作動部は、被作動部が当接する位置に傾斜面を上下方向に有し、扉体を閉めたときに被作動部が傾斜面上を登坂方向に移動することを特徴とする。
【０００８】
請求項３記載の発明によるドア締り装置は、請求項１又は２記載の発明の構成に加え、被作動部は、くの字状に軸着した２本のアームで構成してあり、一方のアームの先端部が扉体に軸着してあり、他方のアームの先端部がスライダに軸着してあり、くの字状の屈曲部が装置作動部に当接することを特徴とする。
【０００９】
請求項４記載の発明によるドアは、請求項１〜３の何れかに記載のドア締り装置を備えることを特徴とする。
【発明の効果】
【００１０】
請求項１記載の発明によるドア締り装置は、扉体を閉めると被作動部が竪枠の装置作動部に当接して押し込まれ、それに伴ってスライダがスライドして係止突起が受け金具と係合する位置に移動するため、扉体を閉めるだけで扉体の戸先部を竪枠から離れないように拘束でき、火災時等に扉体が変形して竪枠との間に隙間が生じるのを確実に防止できる。しかも、扉体が開くにつれて装置作動部による被作動部の押し込みが解除されることで係止突起が受け金具から外れるため、扉体を開ける際にも特別な操作が不要である。ドア締り装置本体を扉体の戸先側見込み面に取付け、装置作動部と受け金具を竪枠に取付けるだけなので、既存のドアに容易に後付けできる。
【００１１】
請求項２記載の発明によるドア締り装置は、装置作動部は被作動部が当接する位置に傾斜面を上下方向に有し、扉体を閉めたときに被作動部が傾斜面上を登坂方向に移動するようにしたことで、扉体が閉まるにつれて被作動部がより深く押し込まれることとなり、したがってスライダのストロークを大きくでき、扉体の開閉時に係止突起の受け金具との係脱が安定してなされる。
【００１２】
請求項３記載の発明によるドア締り装置は、被作動部をくの字状に軸着した２本のアームで構成し、一方のアームの先端部がドアに軸着してあり、他方のアームの先端部がスライダに軸着してあり、くの字状の屈曲部が装置作動部に当接するようにしたことで、スライダのストロークを大きくできると共に、被作動部が扉体の戸先側見込み面と竪枠との間の隙間にすっきり納まり、ドアの意匠に影響を与えない。
【００１３】
請求項４記載の発明によるドアは、請求項１〜３の何れかに記載のドア締り装置を備えていることで、扉体を閉めた状態で扉体の戸先部を竪枠と隙間が開かないように拘束し、ドアの耐火性や耐風圧強度等が高められる。しかも、扉体を開閉するだけで扉体の拘束・解除が自動的になされるので、ドアの開閉操作に影響を及ぼさない。
【図面の簡単な説明】
【００１４】
【図１】扉体が閉まるときのドア締り装置の動きを順に示す側面図である。
【図２】本発明のドア締り装置を備えたドアの一実施形態を示す室外側正面図である。
【図３】図２のＸ部の拡大図である。
【図４】扉体の戸先側側面図である。
【図５】図４のＣ−Ｃ断面図である。
【図６】戸先側の竪枠の内周側側面図である。
【図７】（ａ）は図３のＡ−Ａ断面図であり、（ｂ）は図３のＢ−Ｂ断面図である。
【図８】図３のＢ−Ｂ断面図であって、閉鎖した扉体が変形して竪枠から離れようとしたときの状態を示している。
【図９】本発明のドア締り装置の他の実施形態を示す側面図であって、（ａ）は扉体が開いた状態、（ｂ）は扉体が閉鎖した状態を示している。
【発明を実施するための形態】
【００１５】
以下、本発明の実施の形態を図面に基づいて説明する。図１〜８は、本発明のドア締り装置を備えたドアの一実施形態を示している。本ドアは、ビル用のドアであって、図２に示すように、躯体開口部に取付けられるドア枠２と、ドア枠２に蝶番１３により室外側に開くように取付けた扉体１を備える。ドア枠２は、上枠１４と下枠１５と左右の竪枠４ａ，４ｂとを四方枠組みして構成してある。扉体１は、上框１６と下框１７と戸先框３と吊元框１８とを四方框組みし、その内側にガラスパネル１９を嵌め込んで構成してある。戸先框３の上下方向中間部には、錠装置２０とハンドル２１が設けてある。錠装置２０は、図４に示すように、デッドボルト２２とラッチボルト２３を備えており、これと対向する戸先側の竪枠４ａには、図６に示すように、デッドボルト２２とラッチボルト２３が係合する受け孔２５ａを有する錠受け２５が設けてある。上框１６の室内側面と上枠１４の室内側面間には、ドアクローザー（図示省略）が設けてある。
本ドアは、扉体１の閉鎖時に上記の錠装置２０により施錠されることに加え、図２，３に示すように、錠装置２０よりも下方の扉体１の戸先側見込み面２６と竪枠４ａの見込み面２４との間の１０ｍｍほどの隙間２７にドア締り装置２８が設置してあって、このドア締り装置２８により戸先框３を竪枠４ａに対して拘束し、火災時などに扉体１が変形して戸先框３と竪枠４ａとの間に隙間が開くのを防止している。以下、ドア締り装置２８の構造について詳細に説明する。
【００１６】
ドア締り装置２８は、図３に示すように、扉体１の戸先側見込み面２６に設けたドア締り装置本体５と、竪枠４ａの見込み面２４に設けた装置作動部６及び受け金具７，７を備える。
戸先框３は、図５，７に示すように、見込み面２６に上下方向に溝２９を有しており、断面コ字形の２つのベース金具３０，３０を上下に間隔を開けてその溝２９内に配置しビス３１で固定してあり、この上下のベース金具３０，３０上に渡してスライダ９が設けてある。スライダ９は、図４に示すように、錠装置２０の下から戸先框３の下部にまで達する細長い板状となっており、上部と中間部と下部の３箇所に上下方向の長孔３２を有しており、各長孔３２に挿入したビス３３でベース金具３０に取付けられ、上下方向にスライド可能としてある。スライダ９は、図３，５に示すように、裏面にボルト３４が突設してあり、前記取付けビス３３とボルト３４間に設けたバネ３８により、上方に向けて付勢してある。スライダ９には、中間部と下部の２箇所に、室外側に向けて鉤状に曲がった係止突起１０が設けてある。
図４に示すように、スライダ９の上部とベース金具３０の上部間には、竪枠４ａの装置作動部６に当接させてスライダ９を上下に動かすための被作動部８を設けてある。被作動部８は、同じ長さの板状の上下２本のアーム１１ａ，１１ｂを軸３５で軸着して、室内側に向けて突出するくの字状に屈曲した形になっており、上側のアーム１１ａの上端部をベース金具３０に軸３６で回動自在に軸着し、下側のアーム１１ｂの下端部をスライダ９に軸３７で回動自在に軸着してある。屈曲部１２に位置する中間の軸３５には、アーム１１ａ，１１ｂの縁よりも外周側に張り出すローラー３５ａを有している。スライダ９がバネ３８で上方に付勢してあるため、被作動部８は屈曲部１２が室内側に突き出す方向に付勢されており、最も突き出た状態でも戸先框３の室内側面よりは突出しないようになっている。
【００１７】
装置作動部６は、図３，６に示すように、竪枠４ａの見込み面２４にビス３９で固定される取付板部６ａと、取付板部６ａより扉体１側に起立した上下方向の当接板部６ｂを有している。当接板部６ｂは、下方にいくにつれて室外側に張り出すように、鉛直方向に対して傾斜している。当接板部６ｂは、扉体１を閉めたときに、被作動部８の屈曲部１２が当接する位置に設けてある。取付板部６ａには、取付孔４０が室内外方向の長孔状に設けてあり、装置作動部６の位置を室内外方向に調節できる。
受け金具７は、スライダ９の係止突起１０，１０と同じ間隔で２つ設けてあり、竪枠４ａの見込み面２４にビス４１で固定される取付板部７ａと、係止突起１０の掛かり部７ｂを有している。掛かり部７ｂは、図７（ｂ）に示すように、平面視コ字形断面に形成してあり、また図６に示すように、室内側の上部に切り欠き７ｃが設けてある。掛かり部７ｂの位置は、図１（ａ）に示すように、扉体１を開けた状態での係止突起１０の位置よりも低い位置となっている。取付板部７ａには、取付孔４２が上下方向の長孔状に設けてあり、受け金具７の位置を上下方向に調節できる。
【００１８】
図１（ａ）〜（ｃ）は、扉体１が閉まるときの様子を順に示している。図１（ａ）に示すように、扉体１が開いた状態では、スライダ９がバネ３８により上方に引き上げられており、係止突起１０が受け金具７の掛かり部７ｂよりも高い位置にある。扉体１が閉まってゆくと、図１（ｂ）に示すように、被作動部８の屈曲部１２のローラー３５ａが竪枠４ａに設けた装置作動部６の傾斜した当接板部６ｂに当接し、ローラー３５ａが当接板部６ｂ上を登坂方向に移動することで被作動部８が下方に伸び、それに伴ってスライダ９が下方にスライドする。扉体１が完全に閉まると、図１（ｃ）に示すように、係止突起１０が掛かり部７ｂと係合する位置までスライドする。当接板部６ｂが傾斜していることで、扉体１が閉まるにつれて屈曲部１２をより深く押し込むことができるため、スライダ９のストロークを大きくできる。
錠装置２０により施錠しただけでは、戸先框３の上部と下部は拘束されていないため、火災時には扉体１が反るように変形し、戸先框３と竪枠４ａとの間に隙間が開き、延焼に繋がるおそれがあるが、本ドア締り装置２８を設置してあると、図８に示すように、扉体１が変形して戸先框３が竪枠４ａから離れようとしても、戸先框３の下部の２箇所で係止突起１０が受け金具７の掛かり部７ｂと係合するため、戸先框３が竪枠４ａから離れるのを規制し、竪枠４ａとの間に隙間が開くのを確実に防止できる。
扉体１を開けると、装置作動部６による被作動部８の押し込みが解除されるため、それにつれてスライダ９がバネ３８の力で上方にスライドし、係止突起１０が掛かり部７ｂから自動的に外れる。
【００１９】
以上に述べたように本ドア締り装置２８は、扉体１を閉めたときに戸先框３の下部２箇所の係止突起１０，１０が受け金具７，７と係合し、戸先框３の下部を竪枠４ａから離れないように拘束し、戸先框３と竪枠４ａとの間に隙間が開くのを防止でき、これにより延焼を抑制する効果がある。またそのように錠装置２０から離れた位置で戸先框３を拘束することで、ドアの防犯性、耐風圧性能、水密性、気密性等を高めることにもなる。しかも本ドア締り装置２８は、扉体１を開け閉めするのに連動して戸先框３の拘束・解除が自動的になされ、特別な操作が全く必要ないので、ドアの操作性に影響を与えない。さらに、戸先框３の見込み面２６と竪枠４ａの見込み面２４との間の隙間２７に設けているので、ドアの意匠性にも影響を及ぼさず、また戸先框３と竪枠４ａの見込み面２６，２４にビスで簡単に取付できるので、新設のドアはもちろん、既存のドアに容易に後付けすることができる。
装置作動部６に当接板部６ｂを傾斜して設けたことで、扉体１が閉まるにつれて被作動部８がより深く押し込まれるため、スライダ９のストロークを大きくでき、扉体１の開閉時に係止突起１０の受け金具７との係脱が安定してなされる。
また、被作動部８をくの字状に軸着した２本のアーム１１ａ，１１ｂで構成したことで、被作動部８を見付け・見込み寸法の小さいコンパクトなものにでき、戸先框３と竪枠４ａの見込み面同士の隙間２７にすっきり納まり、ドアの意匠に影響を与えない。また、２本のアーム１１ａ，１１ｂの回動がスライダ９の上下ストロークに合成して変換されるため、スライダ９のストロークを大きくできる利点がある。
被作動部８を錠装置２０の近くに配置してあることで、スライダ９の動きの精度を高められる。
【００２０】
図９は、扉体１の開閉に伴ってスライダ９を上下にスライドさせる機構の他の例を示している。被作動部８は、上下面に傾斜面４３を有するブロック状にしてあり、スライダ９の端部を被作動部８の傾斜面４３に沿うように斜めにカットしてある。図９（ｂ）に示すように、扉体１を閉めると被作動部８が竪枠４ａの装置作動部６に当接して押し込まれ、それに伴ってスライダ９が上方と下方にスライドし、スライダ９の係止突起１０が受け金具７と係合する位置に移動する。
【００２１】
本発明は以上に述べた実施形態に限定されない。ドア締り装置本体５の被作動部８の形態は適宜変更することができ、例えば２つのアーム１１ａ，１１ｂの形状や長さを違わせたものや、一つのアームの回動をスライダの上下動に変換する構造等であってもよい。ドア締り装置２８は、錠装置２０の下側だけでなく上側にも設置することができる。扉体１の構造は任意であり、框ドアに限らずフラッシュドア等に用いることもできる。また本ドア締り装置２８は、開きドアに限らず、スライドドアに応用することもできる。
【符号の説明】
【００２２】
１  扉体
２  ドア枠
３  戸先框
４ａ，４ｂ  竪枠  
５  ドア締り装置本体
６  装置作動部
６ｂ  当接板部（傾斜面）
７  受け金具
８  被作動部
９  スライダ
１０  係止突起
１１ａ，１１ｂ  アーム
１２  屈曲部
２６  戸先框の見込み面（戸先側見込み面）
２８  ドア締り装置    
【図１】
2011153470.tif 000003
【図２】
2011153470.tif 000004
【図３】
2011153470.tif 000005
【図４】
2011153470.tif 000006
【図５】
2011153470.tif 000007
【図６】
2011153470.tif 000008
【図７】
2011153470.tif 000009
【図８】
2011153470.tif 000010
【図９】
2011153470.tif 000011